(57)【特許請求の範囲】
【請求項１】
凸面型と凹面型を有する眼用レンズ用成形型内で重合性モノマー組成物を重合した後、凸面型と凹面型とを分離する方法であって、
凸面型の周辺を固定し、凸成形面の背面より押圧して曲率を一時的に大きくする力を加える第一工程の後、
凹面型の周辺を固定し、凹成形面の背面より押圧して曲率を一時的に小さくする力を加える第二工程を行うこと、
を特徴とする成形型を分離する方法。
【請求項２】
前記第一工程の押圧領域が、眼用レンズ成形物の直径より−２．０〜＋１．０ｍｍの環状部に相当する領域の一部であることを特徴とする請求項１記載の方法。
【請求項３】
前記第二工程が、円筒状の押圧治具により眼用レンズの周辺部を、凹成形面の背面より押圧して曲率を一時的に小さくする第三工程と、
柱状の押圧治具により眼用レンズの中心部を、凹成形面の背面より押圧して再度曲率を一時的に小さくする第四工程を行うことを特徴とする請求項１または２に記載の方法。
【請求項４】
前記第三工程の押圧領域が、眼用レンズ成形物の直径より−１．０〜＋１．０ｍｍの環状部に相当する領域の一部であることを特徴とする請求項３に記載の方法。
【請求項５】
凸面型と凹面型を有する眼用レンズ用成形型内で重合性モノマー組成物を重合した後、凸面型と凹面型とを分離する装置であって、
凸面型の周辺を固定し、凸成形面の背面より押圧して曲率を一時的に大きくする力を加える第１手段と、
凹面型の周辺を固定し、凹成形面の背面より押圧して曲率を一時的に小さくする力を加える第２手段と、
を具備することを特徴とする成形型を分離する装置。
【請求項６】
前記第２手段が、円筒状の押圧治具により眼用レンズの周辺部を、凹成形面の背面より押圧して曲率を一時的に小さくする第３手段と、
柱状の押圧治具により眼用レンズの中心部を、凹成形面の背面より押圧して再度曲率を一時的に小さくする第４手段とからなることを特徴とする請求項５に記載の装置。
【発明の詳細な説明】
【技術分野】
【０００１】
本発明は、凸面型と凹面型を有する眼用レンズ成形型内で重合性モノマー組成物を重合して眼用レンズまたは眼用レンズを与えうるブランクスを成形した後、凸面型と凹面型を分離する方法及びそれに用いる装置に関する。
【０００２】
特に、本発明は、型を分離する際にレンズ素材に対して悪影響を与えることがないのは無論のこと、凸面型に常に成形品が残るように分離することができる型分離方法に係わるものである。
【背景技術】
【０００３】
眼用レンズを製造する一つの方法として、樹脂製の成形型でレンズの形状に対応した空間を形成させ、その空間内に重合性モノマー組成物を流し込んで重合する片面モールド製法或いはモールド製法が知られている。片面モールド製法では、眼用レンズの一方の面を成形型で、他方の面を切削等の加工を施すことにより得られ、モールド製法では、重合完了時点で眼用レンズの両面が形成されるものである。いずれも大量生産が容易で、所謂使い捨てレンズと呼ばれるソフトヒドロゲルコンタクトレンズの製法として重用されている。
【０００４】
これらの樹脂型を用いた眼用レンズの製法では、重合性モノマー組成物が凸面型と凹面型との間で重合されるため、気泡混入を防止する或いは成形精度を向上させることを目的として、前記組成物との親和性が高い型材料が選択されることが多い。そうすると型間の眼用レンズがそれぞれの成形面に吸着して、型を開く際に、せっかく形成された面に傷や亀裂または欠損が生じるおそれがあった。また、型を開く際には、成形物を常に特定の側の型に固着させていることが重要である。片面モールド製法では一方の面を切削等の後加工がし易いように凸面型（通常、眼用レンズの内面が型にて成形されているので外面側が加工される）に固着していることが望ましく、モールド製法では、眼用レンズが固着している側の型を保持して次工程に搬送し、型から完全に剥離する必要があり、いずれの製法にあっても型を分離した後に眼用レンズがどちらの型に残存しているかは、非常に大きな問題だからである。
【０００５】
これらの要求に対して、以下の具体的な方法が提案されている。例えば、雄型あるいは雌型のどちらか一方に表面処理を施し、雄型の表面が雌型の表面に比べてコンタクトレンズ材料との密着性が大きくなるようにして、雄型から雌型を取り出す際に選択的に雄型側にレンズが接着しているようにする方法（特許文献１）、一方の成形面にコロナ放電処理を施すことにより、型を開けたときにコンタクトレンズが処理面側の型に付着するようにする方法（特許文献２）等がある。これらの方法によれば、レンズを特定の側の型に付着させることが可能であるが、型の表面処理に伴う処理時間、処理の均一性、処理装置が必要等の点で、必ずしも満足のいくものではなかった。
【０００６】
また、第１および第２金型間で重合したのち型抜き前に第２の金型に電磁放射線が照射され、これが第２の金型に吸い込まれて第２金型と型抜きされるコンタクトレンズとの間に十分な温度勾配をもたせ、第１金型内にレンズを残す方法（特許文献３）、同様に型枠の間に温度差を提供し、一方の型に挙上及び回転力を加えつつ他方の型の制動を維持して段階的に分離する方法（特許文献４）、後部曲面金型に既定量の赤外線エネルギを投射することにより、後部曲面金型とその下のレンズの間に熱勾配を与え、金型を分離する方法（特許文献５）、レンズの金型を伝導加熱する伝導性加熱プローブにより熱が後面カーブ金型によって伝導され、後面カーブ金型と取り出されるレンズとの間で温度勾配を作り、後面カーブ金型の面を差を付けて膨張させることによりレンズとの付着性を弱めて前面カーブ金型にレンズを残したままで金型を分離する方法（特許文献６）などの提案がある。これらはいずれも熱勾配を利用して一方の型を選択的に剥離しやすくしたものである。この方法は、熱という謂わば見えないものを制御することが難しく、眼用レンズとその成形型材料との親和性が高い組み合わせについて適用しても、選択性良く一方の型にレンズを残存させることについて保証することも困難であった。
【先行技術文献】
【特許文献】
【０００７】
【特許文献１】特開平６−１７０８５７号公報
【特許文献２】特開平７−１９５５５８号公報
【特許文献３】特開平７−３２９２０４号公報
【特許文献４】特開平８−９９３７０号公報
【特許文献５】特開平９−１７４７０６号公報
【特許文献６】特開平１０−７１６２３号公報
【発明の概要】
【発明が解決しようとする課題】
【０００８】
したがって、本発明の目的は、凸面型と凹面型との間で実質的に形成される空間で重合性モノマー組成物を重合して得られる眼用レンズまたはレンズブランクを簡易な方法で分離する方法を提供することを目的とする。特に、得られるレンズを一方の型に選択的に残す方法に関する。
【０００９】
また、前記分離方法において、その分離工程を一連の流れとして製造ラインに組み込み、該分離工程を実施するための装置を提供することをも目的とする。
【課題を解決するための手段】
【００１０】
前記目的を達成するため、本発明では眼用レンズ成形面の背面側から適切な順番に押圧するだけで、後工程における処理の容易な型の方にレンズを残存させることができる方法及び該方法を実行する装置を提案するものである。
【００１１】
すなわち、本発明の成形型の分離方法は、凸面型１０と凹面型１５を有する眼用レンズ用成形型内で重合性モノマー組成物を重合した後、凸面型と凹面型とを分離する方法であって、凸面型の周辺１１を固定し、凸成形面の背面１２より押圧して曲率を一時的に大きくする力を加える第一工程の後（図９（ａ）参照）、凹面型の周辺１６を固定し、凹成形面の背面１７より押圧して曲率を一時的に小さくする力を加える第二工程を行う（図９（ｂ）（ｃ）参照）ことを特徴とする（図９参照）。
【００１２】
前記第一工程では凸成形面を有する型に対して押圧力を加えるものであるが、このとき型の周辺を固定しているので、固定部より内側を型の背面から押圧すると必然的に凸成形面は曲率を大きくすることができる。また、第二工程では凹成形面を有する型に対して押圧力を加えるもので、型の周辺を固定しているので、固定部よりも内側を型の背面から押圧すると凹成形面の曲率を小さくすることができる。
【００１３】
前記第一工程の押圧領域は、具体的には目的とする眼用レンズ成形物の直径よりも−２．０〜＋１．０ｍｍの間の環状領域に相当する部分に対して、押圧力が加えられることが好ましい。前記環状領域の全領域を押圧するよりも、その一部、好ましくは外径が眼用レンズ成形物の−２．０〜＋１．０ｍｍの円柱状の部材もしくは、前記円柱の一部に非接触部を有する部材によって押圧することが望ましい。環状領域全体を押圧する場合にはかなりの加圧力が必要だからである。
【００１４】
本発明の第二工程について、凹面型の周辺を固定し、円筒状の押圧治具２０により眼用レンズの周辺部を凹成形面の背面より押圧して曲率を一時的に小さくする第三工程（図１０（ｂ）参照）と、柱状の押圧治具３０により眼用レンズの中心部を凹成形面の背面より押圧して再度曲率を一時的に小さくする第四工程（図１０（ｃ）参照）とを含むことが好ましい。形成された眼用レンズを常に凸面成形面に残存させたままで型を開くために、凹面型に対してより作用を施すことが望ましいからである。
【００１５】
第三工程の押圧領域は、具体的には眼用レンズ成形物の直径よりも−１．０〜＋１．０ｍｍの間の環状領域に相当する部分に対して、押圧力が加えられることが好ましい。第一工程と同様の理由に環状領域全体を押圧するよりも、その一部、好ましくは外径は内径の＋０．５〜＋１０ｍｍ、内径が眼用レンズ成形物の−１．０〜＋１．０ｍｍの円筒状の部材もしくは、前記円筒の一部に非接触部を有する部材によって押圧することが望ましい。
【００１６】
また、前記本発明の成形型を分離する方法を実施するための装置としては、凸面型の周辺を固定し、凸成形面の背面より押圧して曲率を一時的に大きくする力を加える第１手段と、凹面型の周辺を固定し、凹成形面の背面より押圧して曲率を一時的に小さくする力を加える第２手段と、を具備することを特徴とする。各手段は成形型内で重合された眼用レンズに対して直接接触することはなく、押圧される側の型についてのみ周辺が固定されていて他はフリーな状態であるため、レンズに対する物理的負荷が少ない。しかも型に挟まれた状態で処理が施されるので、眼用レンズへの負荷がより緩和されることになる。
【００１７】
前記第２手段はさらに、凹面型の周辺を固定しつつ、円筒状の押圧治具により眼用レンズの周辺部を凹成形面の背面より押圧して曲率を一時的に小さくする第３手段と、柱状の押圧治具により眼用レンズの中心部を凹成形面の背面より押圧して再度曲率を一時的に小さくする第４手段とからなることを特徴とする。これらの２つの手段によって、眼用レンズの前面が凹面型と分離されることを確実にすることができる。
【発明の効果】
【００１８】
本発明の成形型分離方法は、先ず凸面型に力を作用（第一工程）させ、次いで凹面型に作用（第二工程）させる。型を開く直前に凹面型に対して作用させることによって、眼用レンズを常に凸面型に残留させることができる。また、第二工程を第三、第四工程から構成することによって、凸面型に眼用レンズを選択的かつ確実に残留させることができるので、その後の処理にスムーズに移行することができる。
【００１９】
そして前記方法を実施するための本発明の装置は、作用を加える側の型を固定し、他をフリーな状態にすることにより、レンズに対する物理的な負荷を少なくして、分離工程におけるレンズの変形、破損、亀裂などの発生を防止し、レンズ良品率を低下させることがない。しかも、各手段が成形用型に対して作用するので、各型を確実に保持することにより、生産ラインに容易に組み込むことができる。
【図面の簡単な説明】
【００２０】
【図１】図１は第一工程に使用される治具の一例を示した図である。（ａ）は連続面で押圧する治具、（ｂ）は２箇所に非接触部が（ｃ）は６箇所に非接触部を設けた治具の例である。
【図２】図２は型の固定の仕方について示す図である。（ａ）は両型のつばの間で、（ｂ）は型の周辺側面を押圧しつつ固定するものである。また、（ｃ）はつば部分を２点で、（ｄ）、（ｅ）はつば全体または一部を除いて支持する状態を上方から見た概略図である。
【図３】図３は第一工程の一例を示す図である。
【図４】図４は第二または第三工程に使用される治具の一例を示す図である。
【図５】図５は第二工程の一例をを示す図である。（ａ）は一時的に押圧して型を変形させようとする状態を、（ｂ）は凹面型を取り除く状態を、（ｃ）は凸面型を持ち上げる状態をそれぞれ示している。
【図６】図６（ａ）は第三工程、（ｂ）は第四工程の一例を示す図である。
【図７】図７（ａ）は第三工程、（ｂ）は第四工程の他の例を示す図である。
【図８】図８は第四工程の治具の一例を示す図である。各図の上側が上方斜視図、下側が断面図である。
【図９】図９は第一工程（ａ）および第二工程（ｂ）に係る一例を示す図である。
【図１０】図１０は第一工程（ａ）および第三工程（ｂ）ならびに第四工程（ｃ）に係る一例を示す図である。
【発明を実施するための形態】
【００２１】
以下に、本発明の成形型の分離方法および分離装置について順を追って詳細に説明する。
本発明方法が適用される眼用レンズの製造工程としては、眼用レンズの前面側を形成する凹面型と、後面側を形成する凸面型とから基本的になる成形型内で、重合性モノマー組成物を重合した後に、型を開く場面である。製造ラインを自動化するためには、特定の側の型に常に眼用レンズを残留させておくことが必要となる。本発明では、凸面型に眼用レンズを選択的に残留させる方法について提案するものである。このような型を利用した眼用レンズの製造方法は、重合終了と同時に眼用レンズが形成されているモールド製法と、重合終了時には一方の面（通常眼用レンズの内面側）が型により形成され、他方（眼用レンズの外面側）が眼用レンズのパワーに応じて切削などを施す片面モールド製法があるが、本発明はいずれの方法にも採用することができる。片面モールド製法では、型のデザイン設計によって眼用レンズの周辺エッジを凸面型に設けることが可能（特開昭６３−３８１０参照）であり、これによって凸面型に選択的に残留させることが可能となりうるので、モールド製法に対して特に好適である。
【００２２】
片面モールド製法やモールド製法においては、型表面との間に重合収縮などにより気泡が発生することを抑えたり、重合性モノマー組成物を成形面全体に馴染みやすくするために、該組成物と親和性の高い型材料を使用することも有るが、そのような場合には重合後の眼用レンズと型とが強固に張り付いて容易に型から離れない。本発明の方法によれば、凸面型、凹面型それぞれに対して荷重をかけるので、型を分離する際に眼用レンズ素材に対する負荷が殆どない。また、重合性モノマー組成物には、重合収縮を防止するなどの目的で溶媒等を添加する場合がある。或いは、重合後の眼用レンズが室温下で柔軟な場合もある。このような場合には、型を多少変形させても眼用レンズがその変形に追随して、所望の側にレンズを残留させることが困難になりうる。本発明では、そのような場合であっても有効な技術である。また、重合性モノマー組成物には、重合収縮を防止するなどの目的で溶媒等を添加する場合がある。或いは、重合後の眼用レンズが室温下で柔軟な場合もある。このような場合には、型を多少変形させても眼用レンズがその変形に追随して、所望の側にレンズを残留させることが困難になりうる。本発明では、そのような場合であっても有効な技術である。
【００２３】
本発明は、重合性モノマー組成物を重合した後に凸面型と凹面型とを分離する際に、まず第一工程として凸面型の周辺を固定し、凸成形面の背面から押圧力を加えて、凸成形面の曲率を一時的に大きくする。凸成形面の曲率が大きくなるということは、凸成形面がより突出した形状に変形されることを意味する。この第一工程では、重合性モノマー組成物が、型で形成された眼用レンズ成形空間よりあふれ出た部分（以下、リング部分ということがある。通常、眼用レンズ成形空間には重合収縮や気泡が残らないことを考慮して、完全に組成物で満たしうる量以上に充填されるため、余剰分はあふれ出て、重合完了後に型を開く場合に障害となる。）が両型を接着して、型を開く場合に余計な力を加えなければならないことを防止する目的もある。つまり、重合完了後にいきなり型を分離しようとすれば、眼用レンズ成形面だけでなく前記リング部分と型との接着力にもうち勝つ力を加える必要があり、これが眼用レンズ素材に与える影響も無視できないからである。従って、第一工程では背面から加える押圧力ができるだけ眼用レンズ素材に影響しないように、後述するレンズ直径付近の領域に作用するように押圧することとなる。
【００２４】
第一工程における押圧力を加える部分であるが、具体的には眼用レンズ成形物の直径より−２．０〜＋１．０ｍｍ、より好ましくは−１．５〜＋０．５ｍｍの環状部に相当する領域の一部である。この円環状領域を押圧するためには、円柱状または型に一部接触しない切り欠き部２を有する円柱状の治具が用いられる。具体的には図１（ａ）、（ｂ）、（ｃ）に示すような治具１により押圧する。押圧力を型に対して均等に加えるためには、円柱状の治具の中心軸３は眼用レンズの中心を通るように設計されることが好ましい。また、型との接触部４が面取りされていても良い。
【００２５】
このときの押圧力は、型材料によって異なるが、例えばナイロンなどの場合は５〜１００ｋｇ重、好ましくは１０〜５０ｋｇ重の間である。押圧力が前記範囲より小さい場合にはリング部分の接着解除が充分でなく、大きい場合には眼用レンズ素材に対する悪影響のおそれがあるからである。
【００２６】
ところで、眼用レンズ成形用の凸面型や凹面型は一般に射出成形によって形成される樹脂型である。そして射出成形による成型品に対して冷却後の変形、ひずみなどを防止するためには、成型品の厚みがある程度均一であることが好ましい。すなわち、凸面型の凸成形面の背面は凸成形面の曲率と同心円の曲率の凹面であり、凹面型の凹成形面の背面は凹成形面の曲率と同心円の曲率の凸面を有する。このように本発明に摘要される型の形状としては、図面にも示すように縦断面を見たときにある程度均一な厚みを有することが好ましいが、それぞれ型の背面が平坦面である型を用いることを排除するものではない。
【００２７】
さて、第一工程において凸面型の周辺の固定の仕方について具体的には図２（ａ）に示すような方法が好ましいのであるが、型の周辺側面から中心部方向に押さえつける方法（図２（ｂ））や、凸面型１０の周辺につば１１がある場合には、単につば部分を対角状に２点で支える（図２（ｃ））、或いはつばに沿って周囲を支えるなど種々の方法（図２（ｄ））がある。このときの留意点としては、押圧力が型に対して均等に加えられるように支えることが重要である。
【００２８】
また、第一工程における「一時的」とは、型材料によって異なるが、具体的にナイロンなどの場合は０．０５〜８秒間、好ましくは０．１０〜５秒間押圧力を加えることを言う。このとき、前記範囲より短い場合には、リング部分の接着解除が不完全となりやすく、前記範囲より長くしてもすでに目的を達している以上不要であり、また眼用レンズ素材への悪影響が懸念されるからである。
【００２９】
次に凹面型の周辺を固定し、凹成形面の背面より押圧して曲率を一時的に小さくする力を加える第二工程について説明する。第二工程では眼用レンズを凸面型に残して凹面型を分離するための操作が行われる。第一工程に関して説明した所と同様の操作については省くが、第二工程での押圧力は前記したナイロン型を例にすれば、５〜１００ｋｇ重、好ましくは１０〜５０ｋｇ重の間である。押圧力が前記範囲より小さい場合には凹面型が分離できないことが有り、大きい場合には第二工程の目的を達している以上不要だからである。なお、第一工程、第二工程の説明で凸面型および凹面型の型材料を同じナイロンを例示して説明したが、相異なる型材料を用いることも勿論可能である。
【００３０】
第二工程の「一時的」とは、前記したナイロンを例とすれば、０．５〜１０秒、好ましくは１〜５秒である。前記範囲より短い場合には型を開くことが困難となり、前記範囲より長くしても型が分離された後の押圧は不要だからである。
【００３１】
この第二工程は、型を分離するためであるが、型と眼用レンズ素材との接着力が強い場合には、第二工程に換えて、第三工程と第四工程を行うことが望ましい。
【００３２】
前記第三工程は、円筒状の押圧治具２０により眼用レンズの周辺部を、凹成形面の背面より押圧して凹成形面の曲率を一時的に小さくするものである。円筒状の押圧治具は、円筒の一部に切り欠き部があって断片的に型を押圧するものであっても良い。但し、断片的に接触部分が偏在するものよりも一定間隔で離間された接触部を有する治具の方が均等な押圧力を作用させうるので好ましい。第三工程での押圧力は前記したナイロン型を例にすれば、５〜１００ｋｇ重、好ましくは１０〜５０ｋｇ重の間である。また、第三工程の「一時的」とは、０．５〜１０秒、好ましくは１〜５秒である。
【００３３】
この第三工程ではいきなり眼用レンズの前面側を全て型から離そうとするものではない。つまり円筒状の押圧治具によって眼用レンズの周辺部を集中的に離間させることを目的としているのである。このように円筒状の治具を用いることによって、凹成形面の曲率が小さくなるから、眼用レンズ前面の中心部は型と接触しているが周辺部から型が離れていくことを意味する。これにより、接着部の周辺から離間部を形成させ、型との接着面すべてを一度に引き離すことを避けて、徐々に離間部をレンズ中心部に向けて広げることができる。
【００３４】
第三工程で押圧する領域は具体的には、眼用レンズ成形物の直径より−１．０〜＋１．０ｍｍ、好ましくは−０．５〜＋０．５ｍｍの環状部に相当する領域の一部である。前記範囲より小さい領域を押圧すると、眼用レンズ前面と型との接触領域の内側から離間させることとなって眼用レンズ素材への影響が大きくなり、前記範囲より大きい領域を押圧しても、眼用レンズ直径より外側すぎるので、離間が十分に行われないからである。なお、円筒状の押圧治具はその中心軸を眼用レンズ前面の中心軸と同軸にすることが好ましい。これにより眼用レンズ周辺に均等に力を作用させることができる。
【００３５】
前記第三工程に続き、柱状の押圧治具３０により眼用レンズの中心部を、凹成形面の背面より押圧して再度曲率を一時的に小さくする第四工程を行う。凹面型の背面は、前記したように凹成形面の曲率に合わせるように同心円の曲率の凸面となっている。従って柱状の押圧治具で押圧した場合にはちょうど眼用レンズの中心部を押し上げることとなる。第三工程で眼用レンズの周辺部を離間させ、この第四工程で完全に眼用レンズの前面が離間して、常に凸面型に眼用レンズを残して型をひらくことができるのである。
【００３６】
第四工程での押圧力は前記したナイロン型を例にすれば、２〜６０ｋｇ重、好ましくは４〜３０ｋｇ重の間である。また、第四工程の「一時的」とは、０．１〜５秒、好ましくは０．２〜３秒である。前記範囲未満の場合には、眼用レンズの離間が充分でなく、前記範囲より大きな力或いは長い時間押圧しても、既に眼用レンズが離間した後であるため操作が無駄になるからである。
【００３７】
ここまで型材料はナイロンを中心として説明してきたが、型に使用する樹脂は、安価で取り扱いやすいように、例えばポリエチレン、ポリプロピレン、エチレンビニルアセテート、プロピレンコポリマー、ポリスチレン等から適宜選択される熱可塑性プラスチック材料から構成される。これらは、使用する重合性モノマー組成物と型材料との親和性および熱重合か紫外線等の光重合によるのかによって適宜選択される。
【００３８】
また本発明の眼用レンズを形成する重合性モノマー組成物は、光学レンズの機能を発揮し型分離によって光学的な影響をうけないものであればどのような材料であっても良く、例えばメチル（メタ）アクリレート、エチル（メタ）アクリレート等のアルキル（メタ）アクリレートをはじめ、スチレンモノマーや、シリコン含有モノマー、フッ素含有モノマー、Ｎ−ビニルピロリドン、ジメチルアクリルアミド、などのレンズ材料として用いられる一般的な各種モノマーを適宜組み合わせて重合した材料からなる。そして例えば、Ｎ−ビニルピロリドン、ジメチルアクリルアミドなどのモノマーを使用した場合には、型材料としてナイロンが好ましい。
【００３９】
次に本発明の凸面型と凹面型を分離する方法を実現する装置について説明する。本発明の型分離装置は、成形型を用いた重合の後、凸面型に眼用レンズを残して、凹面型を分離するための装置である。その構成は、凸面型の周辺を固定し、凸成形面の背面より押圧して曲率を一時的に大きくする力を加える第１手段と、凹面型の周辺を固定し、凹成形面の背面より押圧して曲率を一時的に小さくする力を加える第２手段と、を備えている。
【００４０】
重合装置から出てきた成形型は、個別にまたは一定のグループごとに型分離装置まで運ばれる。このときの搬送方法としては、成形型を吸引する、フィンガー様の機構により挟む、あるいはベルトコンベアやレール上を移動するなど公知の方法によって搬送することができる。装置に到着すると、凸面型１０の周辺１１が固定される。具体的には図３に示すように凸面型１０と凹面型１５との間に拘束フィンガー６を挿入する。ここでの拘束力はそれほど重要ではない。次の押圧治具７によって力が加えられれば、必然的に型が固定されるからである。図では凸面型が上に、凹面型が下にした状態が例示されているが、これが上下逆で有っても良く、押圧治具の配置に合わせて構成すれば良い。
【００４１】
拘束フィンガーにより保持された凸面型の上方に、眼用レンズの中心と同心軸で押圧治具が配置される。押圧治具は同心軸８に沿って降下し凸成形面の背面側に接触するまで降下し、一旦停止される。必ずしも停止することは必須ではないが、例えば、成形型（眼用レンズ）の中心と押圧治具の中心軸が多少ずれていても、この一時停止により成形型が拘束フィンガー上を移動して同心位置に調整することができるからである。なお、これは凸面型の背面が凹面であって凸成形面と該凹面との中心が同軸にある場合に特に有効である。
【００４２】
次に、押圧治具が凸面型の背面を押圧し、結果として凸成形面の曲率が大きくなる。このときの押圧速度は、２〜２００ｍｍ／秒程度であり、目的とする眼用レンズ材料と型材料の組み合わせによって適宜選択する。押圧力、押圧時間等は前記した範囲内にて行われ、まず眼用レンズ以外（リング部分９）の両型の接着を解除する。続いて第２手段の拘束フィンガーが凹面型の周辺を固定する。この拘束フィンガーは第１手段と共通にしても良く、第２手段用の別の拘束フィンガーであっても良い。ちなみに図３では、拘束フィンガーが共通のものを使用した場合を示している。
【００４３】
そして凹面型１５の下方に、眼用レンズ５の中心と同心軸８で押圧治具２１が配置され、押圧治具が同心軸に沿って上昇し凹成形面の背面側１７に位置して、凹面型を押し上げる。第２手段用の押圧治具の押圧速度は２〜２００ｍｍ／秒であり、その他の押圧条件は前記方法発明で説明した通りである。その結果凹成形面の曲率が小さくなる方向に押圧されるので、眼用レンズが凹面型から離れて凸面型に残留した状態で型が開かれる（図５）。このとき押圧治具側から吸引により凹面型１５を引っ張るようにして下降すると良い（図５（ｂ））。逆に、凸面型１０を上昇させることも可能である（図５（ｃ））。
【００４４】
このように、第１手段は、本発明の第一工程を実施するものに相当し、第２手段は、第二工程を実施するものに相当する。重合性モノマー組成物と型材料との親和性が非常に高い場合には、これらの手段だけで常に凸面型に眼用レンズを残して型を開くことが困難な場合がある。そこで第２手段に換えて、円筒状の押圧治具により眼用レンズの周辺部を、凹成形面の背面より押圧して曲率を一時的に小さくする第３手段と、柱状の押圧治具により眼用レンズの中心部を、凹成形面の背面より押圧して再度曲率を一時的に小さくする第４手段とを備える装置にすることが好ましい。
【００４５】
第３手段は、円筒状の押圧治具２０によってまず眼用レンズの周辺部を型から離すことを目的としている。そのためこの治具で押圧される領域は前記のように、眼用レンズ成形物の直径より−１．０〜＋１．０ｍｍ、好ましくは−０．５〜＋０．５ｍｍの環状部に相当する領域の一部である。具体的には図４に示すような円筒状の端面２５を有する治具が用いられる。この押圧治具の動きについては前記第２手段と、押圧条件は方法発明で説明した第三工程と、それぞれ同様であるためここでは説明を省略する。またこのときの型周辺を固定する拘束フィンガーについても同様である。なお、凹面型の背面が凸面である場合には、押圧治具の端面についてすり鉢状に面取り２６が施され、適度な幅（具体的には０．１〜１ｍｍ）を持って押圧するように構成させることができる。押圧治具の円環状での接点が線接触とした場合、型材料に治具が食込み型を破損するだけでなく眼用レンズ素材に対しても悪影響を及ぼすことがないようにするためである。
【００４６】
第３手段に続いて第４手段によって、今度は眼用レンズ中心部に対して凹面型の背面より力を作用させる。このときの拘束フィンガーについては第３手段に使用したのと同じものを使用するほうが、装置構成上合理的である。押圧治具については第３手段の押圧治具を型から離間させたのち、柱状の押圧治具３１を凹面型の中心軸８と同軸上に移動させ、中心軸に沿って上方に押し上げることができる（図６参照）。また、別の構成としては、第３手段の円筒状の押圧治具２０の筒内に予め柱状の押圧治具３０が備えられており、円筒状押圧治具を下降させつつ柱状の押圧治具を上昇させることも可能である（図７参照）。この押圧治具の端面３５（押圧面）は、平坦面であっても良く（図８（ａ））、凹面型の背面が凸面である場合に該凸面の曲率に応じた凹面とする（図８（ｂ））ことも可能である。その他、複数の半球状の凸部３６を端面に配置（図８（ｃ））して、型に対して分散した力を及ぼすようにしても良い。これらの具体的な各種形状については図８を参照されたい。
【００４７】
本発明の型分離方法及び分離装置については前記の通りであるが、以下に幾つかの実施例を挙げて、本発明の効果について述べる。
【実施例１】
【００４８】
図３に示したポリスチレン製の雄型１０と雌型１５よりなる眼用レンズ成形型内に、ヒドロキシエチルメタクリレート９５部、メタクリル酸３部、架橋剤エチレングリコールジメタクリレート０．２部、重合開始剤として０．５部の２−ヒドロキシ−２−メチル−１−フェニル−プロパン−１−オンからなる重合性モノマー組成物を充填し、紫外線照射によって重合した。
【００４９】
重合後の型を開く前の眼用レンズ成形型の断面は図３に示す通りである。図には眼用レンズ部分以外にその両端に余剰の重合性モノマー組成物が硬化していることが分かる。
【００５０】
この眼用レンズ成形型を本発明の型分離装置に搬送して、凸面型の周辺フランジで保持した。そして凸成形面の背面から図３に示すように押圧して曲率を一時的に大きくする力を加えた（第一工程）。このときの押圧治具の降下速度は５０ｍｍ／秒であり、押圧部は眼用レンズの直径より＋１．０ｍｍの位置であり、押圧力は１５ｋｇ重、押圧時間は１秒である。
【００５１】
次に図５に示すように下方から凹面型の背面を押し上げた（第二工程）。このときの押圧治具の上昇速度は５０ｍｍ／秒であり、押圧部は眼用レンズの直径より＋０．５ｍｍの位置であり、押圧力は１５ｋｇ重、押圧時間は１秒である。そして押圧治具側から吸引しつつ下降させることにより図５（ｂ）に示すような動作により凹面型を取り除いた。
【００５２】
前記型分離処理を全１０枚の眼用レンズに対して施したところ、全ての眼用レンズが確実に凸面型側に固定された状態で型を開くことができ、水和後のレンズ検査でも破れなどの破損がなく、光学的機能を保持した含水性の眼用レンズが得られた。
【００５３】
比較として前記第一工程を実施しない場合について同様に行ったところ、全１０枚中、２枚の眼用レンズが凹面型側に残留し、選択的な型開きが行えなかった。
【実施例２】
【００５４】
図３と同様のナイロン製の雄型と雌型よりなる眼用レンズ成形型内に、メチルメタクリレートを主成分としエチレングリコールジメタクリレート等の多官能モノマーを含む成分から成るマクロモノマーを２４部、メチルメタクリレート２８部、ジメチルアクリルアミド５７部、Ｎ−ビニルピロリドン１９部、着色成分メタクリロイル化テトラアミノ銅フタロシアニン０．００７部、架橋剤エチレングリコールジメタクリレート０．３部、重合開始剤２，２′−アゾビスイソブチロニトリル０．０４部からなる重合性モノマー組成物を充填し、９０℃にて３０分間重合した。
【００５５】
この組み合わせでは、重合性モノマー組成物と型材料との親和性が強いので、第三、第四工程を実施した。すなわち、まず凸成形面の背面から図１０（ａ）に示すように押圧して曲率を一時的に大きくする力を加えた（第一工程）。このときの押圧治具の降下速度は５０ｍｍ／秒であり、押圧部は眼用レンズの直径より−０．５ｍｍの位置であり、押圧力は３０ｋｇ重、押圧時間は２秒である。
【００５６】
次に図１０（ｂ）に示すように下方から凹面型の背面を押し上げた（第三工程）。このときの押圧治具の上昇速度は５０ｍｍ／秒であり、押圧部は眼用レンズの直径より−０．２ｍｍの位置であり、押圧力は３０ｋｇ重、押圧時間は２秒である。
【００５７】
続いて図１０（ｃ）に示すように再度下方から凹面型の背面を押し上げた（第四工程）。このときの押圧治具の上昇速度は５０ｍｍ／秒であり、押圧部は眼用レンズの中心であり、押圧力は３０ｋｇ重、押圧時間は１秒である。
【００５８】
前記型分離処理を全１０枚の眼用レンズに対して施したところ、全ての眼用レンズが確実に凸面型側に固定された状態で型を開くことができ、水和後のレンズ検査でも破れなどの破損がなく、光学的機能を保持した含水性の眼用レンズが得られた。
【００５９】
比較として前記第四工程を実施しない場合について同様に行ったところ、全１０枚中、３枚の眼用レンズが凹面型側に残留し、選択的な型開きが行えなかった。
【産業上の利用可能性】
【００６０】
本発明の型分離方法によれば、眼用レンズと成形型が強固に固着しているような場合であっても、眼用レンズ素材の物性に悪影響を与えることなく確実にレンズを凸面型に残して分離することができる。また本発明の装置は、自動化が容易に行えるので、眼用レンズの製造ラインに組み込むことで良品率の向上した量産システムの構築が可能である。
【符号の説明】
【００６１】
１          第一工程の押圧治具
２          切り欠き部
３、８      中心軸
４          型との接触部
５          眼用レンズ
６          拘束フィンガー
１０        凸面型
１１、１６  つば
１５        凹面型
２０        第三工程の押圧治具
２１        第二工程の押圧治具
３０、３１  第四工程の押圧治具
【図１】
0005428005.tif 000002
【図２】
0005428005.tif 000003
【図３】
0005428005.tif 000004
【図４】
0005428005.tif 000005
【図５】
0005428005.tif 000006
【図６】
0005428005.tif 000007
【図７】
0005428005.tif 000008
【図８】
0005428005.tif 000009
【図９】
0005428005.tif 000010
【図１０】
0005428005.tif 000011